(57)【要約】【課題】  密閉型圧縮機の提供。【解決手段】  回転子４０は、多数の電気鋼板４１が積層されてなる積層部４２と、積層部４２の外側に配設されるマグネット４３と、積層部４２及びマグネット４３の上側及び下側にそれぞれ配設されて、これらを固定する支持プレート４４、４５と、を含むものの、支持プレート４４、４５には、マグネット４３に挿入される固定突起４４ａ、４５ａが形成されることによって、マグネット４３が半径方向に離脱するのを防ぐ。【選択図】      図３
2005323487.tif 000002
【特許請求の範囲】
【請求項１】
回転軸と、磁場を形成する固定子と電磁気的に相互作用しつつ前記回転軸と共に回転する回転子とを備えた密閉型圧縮機において、前記回転子は、
多数の電気鋼板が積層されてなる積層部と、
該積層部の外周面側に配設されたマグネットと、
該マグネット及び前記積層部を軸方向に支持する支持プレートと、
該マグネットを半径方向に支持するように、前記支持プレートから前記マグネットに向いて延設される固定突起とを含むことを特徴とする密閉型圧縮機。
【請求項２】
前記固定突起は、前記マグネットの外側面を支持することを特徴とする請求項１に記載の密閉型圧縮機。
【請求項３】
前記マグネットには、前記固定突起が挿入される固定溝が形成されたことを特徴とする請求項１に記載の密閉型圧縮機。
【請求項４】
前記固定溝は、前記マグネットと前記支持プレートとが接する面に形成されたことを特徴とする請求項３に記載密閉型圧縮機。
【請求項５】
前記固定突起は、前記マグネットの外側方向に傾斜して形成され、
前記固定溝は、前記マグネットの外側面と前記支持プレートと接する面とが合う角部の一部が面取りされてなることを特徴とする請求項３に記載の密閉型圧縮機。
【発明の詳細な説明】
【技術分野】
【０００１】
本発明は、密閉型圧縮機に関し、さらに詳細には、磁場を形成する固定子と電磁気的に相互作用しつつ回転運動をする回転子とを備えた密閉型圧縮機に関する。
【背景技術】
【０００２】
一般に、密閉型圧縮機は、密閉空間内に冷媒を吸入し圧縮した後に吐出す装置であり、冷媒を圧縮する圧縮装置と、これを駆動させる駆動装置とから構成される。
【０００３】
圧縮装置は、密閉空間を形成する密閉容器の内部に設けられるものであり、圧縮室を形成するシリンダーブロックと、圧縮室内を往復動するピストンと、を備え、シリンダーブロックの一側には、外部と連通する吸入室及び吐出室がそれぞれ形成されたシリンダーヘッドが結合される。
【０００４】
駆動装置は、磁場を形成する固定子と、固定子と電気的に相互作用して回転する回転子と、回転子の中空部に挿入固定されて回転子とともに回転する回転軸を含むモータと、回転軸に連結されて回転運動を直線運動に変換することによってピストンを進退させるコンロッドとを備える。
【０００５】
一方、回転子は、回転軸の外側に積層される多数の電気鋼板と、電気鋼板の上端と下端をそれぞれ支持する１対の支持プレートと、電気鋼板の外側に配設されるマグネットと、を備え、電気鋼板の外周面側には、マグネットが嵌められて結合されるように嵌め溝が形成され、マグネットが嵌め溝から外されるのを防ぐべく、マグネットの外側にマグネットを取り囲む円筒部材が配設される。
【０００６】
しかしながら、従来の密閉型圧縮機は、前記円筒部材により、磁束を形成する固定子と電気鋼板との間の距離が遠ざかることから、モータの出力効率が劣化してしまうという問題点があった。
【０００７】
しかも、別途の円筒部材が要求されるため、作業工程が複雑となり、コスト高となる問題点があった。
【発明の開示】
【発明が解決しようとする課題】
【０００８】
本発明は、上記の問題点に鑑みてなされたものであり、回転子にマグネットを堅固で容易に設置できるし、回転子の電気鋼板と固定子との間の距離を最小限にすることによって出力効率を全体的に向上させうるモータを備えた密閉型圧縮機を提供することを目的とする。
【課題を解決するための手段】
【０００９】
上記の目的を達成すべく、本発明に係る密閉型圧縮機は、回転軸と、磁場を形成する固定子と電磁気的に相互作用しつつ前記回転軸と共に回転する回転子とを備えた密閉型圧縮機において、前記回転子は、多数の電気鋼板が積層されてなる積層部と、該積層部の外周面側に配設されたマグネットと、該マグネット及び前記積層部を軸方向に支持する支持プレートと、該マグネットを半径方向に支持するように、前記支持プレートから前記マグネットに向いて延設される固定突起とを含むことを特徴とする。
【００１０】
好ましくは、前記固定突起は、前記マグネットの外側面を支持する。
【００１１】
好ましくは、前記マグネットには、前記固定突起が挿入される固定溝が形成される。
【００１２】
また、前記固定溝は、前記マグネットと前記支持プレートとが接する面に形成される。
【００１３】
また、前記固定突起は、前記マグネットの外側方向に傾斜して形成され、前記固定溝は、前記マグネットの外側面と前記支持プレートと接する面とが合う角部の一部が面取りされてなると好ましい。
【発明の効果】
【００１４】
上記のように構成される本発明に係る密閉型圧縮機は、回転子を構成する電気鋼板及びマグネットが、支持プレートに形成された固定突起にて互いに固定されるため、マグネットの外側に別途の固定部材を設けなくて済む。これにより、磁束を形成する固定子と回転子の電気鋼板との距離が最小限になり、モータの出力効率及び圧縮機の駆動効率が全体的に向上する効果を奏する。
【００１５】
また、本発明に適用される回転子は、電気鋼板を固定する支持プレートによりマグネットが共に固定される仕組みとなっているため、作業工程及び生産コストを節減できる効果がある。
【発明を実施するための最良の形態】
【００１６】
以下、本発明による好ましい実施形態について、添付図面を参照しつつ詳細に説明する。
【００１７】
図１は、本発明に係る密閉型圧縮機の全体構造を示す側断面図である。本発明に係る密閉型圧縮機は、密閉空間を形成する密閉容器１０の内部に、冷媒を圧縮するように設けられた圧縮装置２０と、圧縮装置２０を駆動するための駆動装置３０とを含めて構成される。
【００１８】
圧縮装置２０は、圧縮室２１ａが形成されたシリンダーブロック２１と、圧縮室２１ａの内部を進退しつつ冷媒を圧縮するピストン２２とを備え、シリンダーブロック２１の一側には、外部と連通する吸入室２３ａ及び吐出室２３ｂがそれぞれ形成されたシリンダーヘッド２３が結合され、シリンダーブロック２１とシリンダーヘッド２３との間には、冷媒の流出入を制御するバルブ装置２４が設けられる。
【００１９】
駆動装置３０は、圧縮装置２０において冷媒の圧縮がなされるようにピストン２２を進退させるものであり、磁場を形成する固定子３１と、固定子３１の内部に、この固定子３１から離れて設置されるとともに、固定子３１と電磁気的に相互作用する回転子４０と、回転子４０の中心に嵌入されて回転子４０と共に回転する回転軸３２を含むモータと、回転軸３２に連結されて回転運動を直線運動に変換させることによって、ピストン２２を進退させるコンロッド３３とを含めて構成される。
【００２０】
以下、本発明に適用された回転子３２を、図２ないし図５に基づき詳細に説明する。
【００２１】
図２及び図３を参照すれば、本発明に適用される回転子４０は、多数の電気鋼板４１が上下方向に積層されてなる積層部４２と、積層部４２の外周面に形成された嵌め溝４２ａに嵌められるマグネット４３と、を備える。ここで、嵌め溝４２ａは、円周方向に沿って相互に離れて多数個形成され、各嵌め溝４２ａに嵌められるマグネット４３は、異なる極を持つように交互に設置される。
【００２２】
そして、積層部４２の上側と下側にはそれぞれ上部支持プレート４４及び下部支持プレート４５が設けられて、積層部４２及びマグネット４３を軸方向に支持するが、このとき、多数の電気鋼板４１と支持プレート４４、４５は内部を貫通するリベット４６で互いに固定される。
【００２３】
また、上部支持プレート４４には、マグネット４３が半径方向に離脱するのを防ぐべく、マグネット４３の上面に凹設された上部固定溝４３ａに挿入される上部固定突起４４ａが突出形成される。そして、下部支持プレート４５には、マグネット４３の下面に向いて突出された下部固定突起４５ａが形成され、下部固定突起４５ａが挿入される下部固定溝４３ｂが、マグネット４３の下面に形成される。
【００２４】
また、図４及び図５に示すように、上部固定突起４４ａ'及び下部固定突起４５ａ'は、マグネット４３'の外側面を支持するように設けられてもいいが、このとき、固定突起４４ａ'、４５ａ'がマグネット４３'の外側へ突き出るのを防ぐべく、固定突起４４ａ'、４５ａ'は、マグネット４３'の外側方向に所定角度だけ傾斜して形成される。そして、上部固定溝４３ａ'は、マグネット４３'の上面と外側面とが合う角部の一部が面取りされてなるし、下部固定溝４３ｂ'は、マグネット４３'の下面と外側面とが合う角部の一部が面取りされてなる。
【００２５】
次に、本発明に係る密閉型圧縮機の回転子の組立過程及びそれによる効果について説明する。
【００２６】
まず、多数の電気鋼板４１をリベット４６に嵌めて積層部４２を形成する。次いで、リベット４６の上側に上部支持プレート４４を挿入し、リベット４６の下側に下部支持プレート４５を挿入するが、このとき、積層部４２の外周面側に形成された嵌め溝４２ａにマグネット４３を嵌めつつ支持プレート４４、４５に形成された固定突起４４ａ、４５ａとマグネット４３の固定溝４３ａ、４３ｂとの位置を互いに一致させた後に支持プレート４４、４５を積層部４２及びマグネット４３と完全に結合させる。
【００２７】
その後、別途の治具にてリベット４６をコーキングすると、マグネット４３は支持プレート４４、４５により積層部４２にしっかり固定される。
【００２８】
このように、本発明に係る密閉型圧縮機の回転子４２は、マグネット４３が支持プレート４４、４５だけでしっかり固定されるため、従来の圧縮機と違い、マグネット４３の外周面を囲んで固定する別途の円筒部材が不要になる。
【００２９】
これにより、磁束を形成する固定子３１と回転子４０の電気鋼板４１との距離を最小限にでき、結果としてモータの出力効率を向上させることができる。
【図面の簡単な説明】
【００３０】
【図１】本発明に係る密閉型圧縮機の全体構造を示す断面図である。
【図２】本発明に係る密閉型圧縮機に設けられた回転子を示す分解斜視図である。
【図３】本発明に係る密閉型圧縮機に設けられた回転子を示す断面図である。
【図４】本発明に係る密閉型圧縮機に設けられた回転子の他の実施形態を示す断面図である。
【図５】図４に示す密閉型圧縮機におけるマグネットを抜粋して示す斜視図である。
【符号の説明】
【００３１】
４０    回転子
４１    電気鋼板
４２    積層部
４２ａ  嵌め溝
４３    マグネット
４３ａ  上部固定溝
４３ｂ  下部固定溝
４４    上部支持プレート
４４ａ  上部固定突起
４５    下部支持プレート
４５ａ  下部固定突起
４６    リベット
【図１】
2005323487.tif 000003
【図２】
2005323487.tif 000004
【図３】
2005323487.tif 000005
【図４】
2005323487.tif 000006
【図５】
2005323487.tif 000007